(57)【特許請求の範囲】
【請求項１】
アンテナに備えられた装置を調整するための制御信号を生成する主制御部と、
前記主制御部で生成された制御信号をＯＯＫ（Ｏｎ‐Ｏｆｆ  Ｋｅｙｉｎｇ）信号に変換させるモデム部と、
直流電源を供給する電力管理部と、
前記モデム部で変換されたＯＯＫ信号と前記電力管理部から提供された直流電源を合成して出力させるＯＯＫポートと、
前記主制御部で生成された制御信号をＲＳ‐２３２信号に変換させるＲＳ‐２３２変換部と、
前記ＲＳ‐２３２変換部で変換されたＲＳ‐２３２信号と前記電力管理部から提供された直流電源を合成して出力させるＲＳ‐２３２ポートと、を含む携帯用アンテナ制御装置。
【請求項２】
アンテナに備えられた装置を調整するための制御信号を生成する主制御部と、
前記主制御部で生成された制御信号をＯＯＫ（Ｏｎ‐Ｏｆｆ  Ｋｅｙｉｎｇ）信号に変換させるモデム部と、
直流電源を供給する電力管理部と、
前記モデム部で変換されたＯＯＫ信号と前記電力管理部から提供された直流電源を合成して出力させるＯＯＫポートと、
前記モデム部と前記ＯＯＫポートとの間に備えられ、前記モデム部で変換されたＯＯＫ信号の帯域をフィルタリングして通過させるローパスフィルタ（ＬＰＦ）と、を含む携帯用アンテナ制御装置。
【請求項３】
前記アンテナに備えられた装置は、電子式のダウンチルト（Ｄｏｗｎ  Ｔｉｌｔ）角を調整するためのＲＥＴ（Ｒｅｍｏｔｅ  Ｅｌｅｃｔｒｉｃａｌ  Ｔｉｌｔ）装備、方位角ステアリングを調整するためのＲＡＳ（Ｒｅｍｏｔｅ  Ａｚｉｍｕｔｈ  Ｓｔｅｅｒｉｎｇ）装備、及び方位角のビーム幅を調整するためのＲＡＢ（Ｒｅｍｏｔｅ  Ａｚｉｍｕｔｈ  Ｂｅａｍｗｉｄｔｈ）装備の少なくとも１つである、請求項１又は２に記載の携帯用アンテナ制御装置。
【請求項４】
前記主制御部で生成された制御信号はＴＴＬ（Ｔｒａｎｓｉｓｔｏｒ‐Ｔｒａｎｓｉｓｔｏｒ  Ｌｏｇｉｃ）信号である、請求項１又は２に記載の携帯用アンテナ制御装置。
【請求項５】
前記主制御部で生成された制御信号をＲＳ‐４８５信号に変換させるＲＳ‐４８５変換部と、
前記ＲＳ‐４８５変換部で変換されたＲＳ‐４８５信号と前記電力管理部から提供された直流電源を合成して出力させるＲＳ‐４８５ポートと、をさらに含む、請求項１又は２に記載の携帯用アンテナ制御装置。
【請求項６】
装置の外部から入力された電力を充電させて貯蔵する充電用電池と、
装置の外部のＡＣ／ＤＣアダプタから供給されたＤＣ電圧を前記充電用電池に充電させる電池充電制御部と、をさらに含む、請求項１又は２に記載の携帯用アンテナ制御装置。
【請求項７】
アンテナに備えられた装置を調整するための制御信号を生成してＯＯＫ（Ｏｎ‐Ｏｆｆ  Ｋｅｙｉｎｇ）信号に変換させ、前記変換されたＯＯＫ信号と直流電源を合成してＯＯＫポートを介して出力させる携帯用アンテナ制御装置と、
前記携帯用アンテナ制御装置の前記ＯＯＫポートと連結された給電ケーブルを介して伝送された信号のうちＯＯＫ信号をＲＳ‐４８５信号に変換させる上部モデムと、
レドームの内部にアンテナ部及び少なくとも１つの遠隔制御対象装備を備え、前記上部モデムで変換されたＲＳ‐４８５信号を受信して前記少なくとも１つの遠隔制御対象装備を制御するアンテナと、を含むアンテナ制御システム。
【請求項８】
前記アンテナに備えられた遠隔制御対象装備は、電子式のダウンチルト（Ｄｏｗｎ  Ｔｉｌｔ）角を調整するためのＲＥＴ（Ｒｅｍｏｔｅ  Ｅｌｅｃｔｒｉｃａｌ  Ｔｉｌｔ）装備、方位角ステアリングを調整するためのＲＡＳ（Ｒｅｍｏｔｅ  Ａｚｉｍｕｔｈ  Ｓｔｅｅｒｉｎｇ）装備、及び方位角のビーム幅を調整するためのＲＡＢ（Ｒｅｍｏｔｅ  Ａｚｉｍｕｔｈ  Ｂｅａｍｗｉｄｔｈ）装備の少なくとも１つである、請求項７に記載のアンテナ制御システム。
【請求項９】
前記制御信号はＴＴＬ（Ｔｒａｎｓｉｓｔｏｒ‐Ｔｒａｎｓｉｓｔｏｒ  Ｌｏｇｉｃ）信号である、請求項７に記載のアンテナ制御システム。
【請求項１０】
アンテナに備えられた装置を調整するための制御信号を生成してＯＯＫ（Ｏｎ‐Ｏｆｆ  Ｋｅｙｉｎｇ）信号に変換させ、前記変換されたＯＯＫ信号と直流電源を合成してＯＯＫポートを介して出力させる携帯用アンテナ制御装置と、
前記携帯用アンテナ制御装置から出力されたＯＯＫ信号と基地局本体部から出力された無線信号とを結合して出力させるＯＯＫバイアスティ（Ｂｉａｓ  Ｔ）と、
前記ＯＯＫバイアスティから出力された信号のうちＯＯＫ信号をＲＳ‐４８５信号に変換させるＣＢＴ（Ｃｏｎｖｅｒｓｉｏｎ  Ｂｉａｓ  Ｔ）と、
レドームの内部にアンテナ部及び少なくとも１つの遠隔制御対象装備を備え、前記ＣＢＴで変換されたＲＳ‐４８５信号を受信して前記少なくとも１つの遠隔制御対象装備を制御するアンテナと、を含むアンテナ制御システム。
【請求項１１】
前記アンテナに備えられた遠隔制御対象装備は、電子式のダウンチルト（Ｄｏｗｎ  Ｔｉｌｔ）角を調整するためのＲＥＴ（Ｒｅｍｏｔｅ  Ｅｌｅｃｔｒｉｃａｌ  Ｔｉｌｔ）装備、方位角ステアリングを調整するためのＲＡＳ（Ｒｅｍｏｔｅ  Ａｚｉｍｕｔｈ  Ｓｔｅｅｒｉｎｇ）装備、及び方位角のビーム幅を調整するためのＲＡＢ（Ｒｅｍｏｔｅ  Ａｚｉｍｕｔｈ  Ｂｅａｍｗｉｄｔｈ）装備の少なくとも１つである、請求項１０に記載のアンテナ制御システム。
【請求項１２】
前記制御信号はＴＴＬ（Ｔｒａｎｓｉｓｔｏｒ‐Ｔｒａｎｓｉｓｔｏｒ  Ｌｏｇｉｃ）信号である、請求項１０に記載のアンテナ制御システム。
【請求項１３】
アンテナに備えられた装置を調整するための制御信号を生成する主制御部で生成された制御信号をＲＳ‐２３２信号に変換させるＲＳ‐２３２変換部と、前記ＲＳ‐２３２変換部で変換されたＲＳ‐２３２信号と電力管理部から提供された直流電源を合成して出力させるＲＳ‐２３２ポートとを含み、前記アンテナに備えられた装置を調整するための制御信号を生成してＯＯＫ（Ｏｎ‐Ｏｆｆ  Ｋｅｙｉｎｇ）信号に変換させ、前記変換されたＯＯＫ信号と直流電源を合成してＯＯＫポートを介して出力させる携帯用アンテナ制御装置と、
前記携帯用アンテナ制御装置から出力されたＯＯＫ信号と基地局本体部から出力された無線信号とを結合して出力させるＯＯＫバイアスティ（Ｂｉａｓ  Ｔ）と、
前記ＯＯＫバイアスティから出力された信号のうちＯＯＫ信号をＲＳ‐４８５信号に変換させるＴＭＡ（Ｔｏｗｅｒ  Ｍｏｕｎｔｅｄ  Ａｍｐｌｉｆｉｅｒ）と、
レドームの内部にアンテナ部及び少なくとも１つの遠隔制御対象装備を備え、前記ＴＭＡで変換されたＲＳ‐４８５信号を受信して前記少なくとも１つの遠隔制御対象装備を制御するアンテナと、を含むアンテナ制御システム。
【請求項１４】
アンテナに備えられた装置を調整するための制御信号を生成してＯＯＫ（Ｏｎ‐Ｏｆｆ  Ｋｅｙｉｎｇ）信号に変換させ、前記変換されたＯＯＫ信号と直流電源を合成してＯＯＫポートを介して出力させる携帯用アンテナ制御装置と、
前記携帯用アンテナ制御装置から出力されたＯＯＫ信号と基地局本体部から出力された無線信号とを結合して出力させるＯＯＫバイアスティ（Ｂｉａｓ  Ｔ）と、
レドームの内部にアンテナ部及び少なくとも１つの遠隔制御対象装備を備え、前記ＯＯＫバイアスティから受信された信号のうちＲＳ‐４８５信号によって前記少なくとも１つの遠隔制御対象装備を制御するアンテナと、を含むアンテナ制御システム。
【請求項１５】
前記アンテナは、
前記携帯用アンテナ制御装置から直接受信した信号からＯＯＫ信号を分離する信号分離部と、
前記信号分離部により分離されたＯＯＫ信号を、制御部で処理可能な制御信号に変換させるモデム部と、を含む、請求項１４に記載のアンテナ制御システム。
【請求項１６】
前記アンテナに備えられた遠隔制御対象装備は、電子式のダウンチルト（Ｄｏｗｎ  Ｔｉｌｔ）角を調整するためのＲＥＴ（Ｒｅｍｏｔｅ  Ｅｌｅｃｔｒｉｃａｌ  Ｔｉｌｔ）装備、方位角ステアリングを調整するためのＲＡＳ（Ｒｅｍｏｔｅ  Ａｚｉｍｕｔｈ  Ｓｔｅｅｒｉｎｇ）装備、及び方位角のビーム幅を調整するためのＲＡＢ（Ｒｅｍｏｔｅ  Ａｚｉｍｕｔｈ  Ｂｅａｍｗｉｄｔｈ）装備の少なくとも１つである、請求項１４に記載のアンテナ制御システム。
【請求項１７】
前記制御信号はＴＴＬ（Ｔｒａｎｓｉｓｔｏｒ‐Ｔｒａｎｓｉｓｔｏｒ  Ｌｏｇｉｃ）信号である、請求項１４に記載のアンテナ制御システム。
【発明の詳細な説明】
【技術分野】
【０００１】
本発明は、移動通信基地局のアンテナに関し、特に、３ＧＰＰ（３ｒｄ  Ｇｅｎｅｒａｔｉｏｎ  Ｐａｒｔｎｅｒｓｈｉｐ  Ｐｒｏｊｅｃｔ）ベース、またはＡＩＳＧ（Ａｎｔｅｎｎａ  Ｉｎｔｅｒｆａｃｅ  Ｓｔａｎｄａｒｄｓ  Ｇｒｏｕｐ）プロトコルによって該当アンテナの動作を遠隔制御することができる携帯用アンテナ制御装置及びその制御システムに関する。
【背景技術】
【０００２】
現在広く用いられている移動通信基地局のアンテナシステムは、通常、互いに垂直な２つの偏波（通常、Ｘ字偏波）で送信または受信できる複数の放射素子が垂直に配列されている構造を有する。Ｘ字偏波は、偏波平面が基本的に水平または垂直平面に対して＋４５°または−４５°の角度で整列される。
【０００３】
かかるアンテナシステムには、通常、アンテナの放射ビームの状態を遠隔で制御するための装置が備えられているが、例えば、電子式のダウンチルト（Ｄｏｗｎ  Ｔｉｌｔ）角を調整するための遠隔電気チルト（ＲＥＴ；Ｒｅｍｏｔｅ  Ｅｌｅｃｔｒｉｃａｌ  Ｔｉｌｔ）装置をはじめ、遠隔で方位角ステアリングを調整するためのＲＡＳ（Ｒｅｍｏｔｅ  Ａｚｉｍｕｔｈ  Ｓｔｅｅｒｉｎｇ）装置や、遠隔で方位角のビーム幅を調整するためのＲＡＢ（Ｒｅｍｏｔｅ  Ａｚｉｍｕｔｈ  Ｂｅａｍｗｉｄｔｈ）装置などが備えられることができる。このような装置を備えたアンテナの例としては、アンフェノールコポーレーションにより先出願された韓国特許出願公開第１０‐２０１０‐０１２２０９２号（名称：マルチデバイス制御ユニットを備えた多重ビームアンテナ、発明者：ジラード・グレゴリー、スリエ・フランク、公開日：２０１０年１１月１９日）に開示されたものが挙げられる。
【０００４】
上記において、例えば、ダウンチルト角の調整は、同一チャンネル干渉（Ｃｏ‐ｃｈａｎｎｅｌ  ｉｎｔｅｒｆｅｒｅｎｃｅ）を減少させたり、基地局のすぐ近所においてサービスが不可能な地域をカバーするために用いられる。また、通話量が集中して多くの基地局を有する都市地域における、各基地局セクタ間の重畳を最小に低減させ、アンテナのサイドローブ（Ｓｉｄｅ‐ｌｏｂｅ）による隣接基地局への干渉を低減させるために用いられる。
【０００５】
上記のようなＲＥＴ装置、ＲＡＳ装置、及びＲＡＢ装置の制御のために、近年、ＡＩＳＧ（Ａｎｔｅｎｎａ  Ｉｎｔｅｒｆａｃｅ  Ｓｔａｎｄａｒｄｓ  Ｇｒｏｕｐ）ｖ２．１．０が提案されており、３ＧＰＰ（３ｒｄ  Ｇｅｎｅｒａｔｉｏｎ  Ｐａｒｔｎｅｒｓｈｉｐ  Ｐｒｏｊｅｃｔ）プロトコルによる通信方式も提案されている。
【０００６】
図１は、一般の移動通信基地局における、携帯用アンテナ制御装置を用いたアンテナのＲＥＴ制御のためのシステムのブロック図である。３ＧＰＰまたはＡＩＳＧの規格によると、例えば、ＲＥＴ制御は、一次局（ｐｒｉｍａｒｙ  ｓｔａｔｉｏｎ）と二次局（ｓｅｃｏｎｄａｒｙ  ｓｔａｔｉｏｎ）に大別される。図１を参照すると、移動通信基地局は、通常、建物や地主などのような高い位置に設けられるアンテナシステムと、地上に設けられる基地局本体システムと、これらの間を連結する給電ケーブル（ｆｅｅｄｅｒ  ｃａｂｌｅ）と、で構成されることができ、前記一次局の部分は基地局本体システムに該当し、二次局の部分はアンテナシステムに該当する。
【０００７】
より詳細に説明すると、一次局の部分は、マスター（ｍａｓｔｅｒ）部分であって、基地局本体システムに備えられることのできる、ＭＣＵ（Ｍａｓｔｅｒ  Ｃｏｎｔｒｏｌ  Ｕｎｉｔ）２２のように制御信号を送信する部分であり、二次局は、スレーブ（ｓｌａｖｅ）部分であって、ＲＥＴ１４とＡＬＤモデム（Ａｎｔｅｎｎａ  Ｌｉｎｅ  Ｄｅｖｉｃｅ  Ｍｏｄｅｍ）１３（上部モデム）のように制御信号を受信して該当制御信号に応じた動作を行う部分である。
【０００８】
基地局本体部２１は、基本的な送信及び受信ＲＦ信号処理動作を行い、給電ケーブルを介してＲＦ信号を送信する。ＭＣＵ２２は、ＲＥＴ装備１４を駆動させるための動作電源に該当するＤＣ信号と、制御のためのＲＳ‐４８５通信信号を送信する。上記の２つの部分から送信された信号は、基地局本体システムに備えられている下部モデム（Ｂｏｔｔｏｍ  ＡＬＤ  ｍｏｄｅｍ）２３でＲＳ‐４８５信号をＯＯＫ（Ｏｎ‐Ｏｆｆ  Ｋｅｙｉｎｇ）信号に変換した後、ＤＣ（Ｄｉｒｅｃｔ  Ｃｕｒｒｅｎｔ）信号＋ＲＦ信号に合成される。前記下部モデム２３で合成された信号は、さらに給電ケーブルを介してアンテナの下端まで送信される。アンテナシステムに備えられている上部モデム（Ｔｏｐ  ＡＬＤ  ｍｏｄｅｍ）１３は、上記のように給電ケーブルを介して伝送された信号のうちＯＯＫ信号をＲＳ‐４８５信号に変換させた後、ＤＣ（Ｄｉｒｅｃｔ  Ｃｕｒｒｅｎｔ）信号とともにＲＥＴ装備１４に提供することで、ＲＥＴ装備１４が命令を受信できるように機能を支援する。
【０００９】
この際、上部モデム１３とＲＥＴ装備１４とはＡＩＳＧケーブルを介して連結されて信号を伝送し、上部モデム１３とアンテナ１０とは給電ケーブルを介して連結されてＲＦ信号を伝達する。また、上部モデム１３は、前記ＤＣ信号＋ＯＯＫ信号と分離されたＲＦ信号を、複数の送信及び受信放射素子で構成される第１のアンテナ部１１に提供する。一方、アンテナ１０には、それぞれ複数の送信及び受信放射素子で構成される複数のアンテナ部、例えば、第１のアンテナ部１１及び第２アンテナ部１２などが備えられることができ、ＲＥＴ装備１４を制御するための制御信号は、これらの何れか１つのアンテナ部、例えば、第１のアンテナ部１１の給電ケーブルを介して提供されることができる。
【００１０】
一方、上記では、アンテナ１０に取り付けられて、基地局本体システムから伝送された制御信号を受信して該当制御信号に応じた動作を行う装備として、ＲＥＴ装備１４を例として挙げたが、ＲＡＳ及びＲＡＢ装備も、同一または類似の方式により取り付けられて動作することができる。また、ＲＥＴ装備、ＲＡＳ装備、及びＲＡＢ装備の全てが取り付けられる場合には、それらが、ＡＩＳＧケーブルを介してデイジーチェーン方式により連結される構造を有することができる。この際、外部の上部モデム１３から提供されるＤＣ＋ＲＳ‐４８５信号は、一次的にＲＥＴ装備に提供されるように連結されることができる。上記のような構成において、ＲＥＴ装備１４などは、アンテナ１０の外観を形成するレドームの内部に取り付けられ、ＡＩＳＧコネクタを介して外部と連結されるように設けられる。また、上部モデム１３は、アンテナ１０のレドームの外部の下端に別の装備として付加的に設けられており、ＲＥＴ装備１４とはＡＩＳＧケーブルを介して連結され、アンテナ１０とは別の給電ケーブルを介して、アンテナ１０のレドームの下部キャップに形成されたコネクタ、例えば、ＤＩＮ（Ｄｅｕｔｓｃｈ  Ｉｎｄｕｓｔｒｉａｌ  Ｎｏｒｍｓ）コネクタと連結される。
【００１１】
一方、アンテナシステムの設置またはメンテナンス時に、アンテナシステムの動作を点検するために携帯用アンテナ制御装置（Ｐｏｒｔａｂｌｅ  Ａｎｔｅｎｎａ  Ｃｏｎｔｒｏｌｌｅｒ；ＰＡＣ）３１が用いられることができる。しかし、従来のＰＡＣ３１は、ＡＬＤのＡＩＳＧ規格に準じたＡＬＤ制御のために、ＲＳ‐４８５通信のみを支援している。
【００１２】
したがって、様々なフィールド環境では、ＲＳ‐４８５通信のみではＡＬＤ制御が困難であって、付加的な装置（例えば、モデム３２）をさらに用いなければならないという不都合な状況が生じ得る。
【００１３】
したがって、ＰＡＣ３１を用いて、ＲＳ‐４８５信号だけでなく、必要に応じて種々の信号（例えば、ＯＯＫ信号）によってもＡＬＤを制御することができる機能の必要性が求められている。
【発明の概要】
【発明が解決しようとする課題】
【００１４】
したがって、本発明の目的は、ＯＯＫ信号を変換させることができるモデム及びＯＯＫ通信インタフェースを備えることで、ＯＯＫ信号によってアンテナシステムを制御することができる、携帯用アンテナ制御装置及びアンテナ制御システムを提供することにある。
【００１５】
また、本発明の目的は、ＲＳ‐２３２通信インタフェースを備えてＰＣと連結することで、ソフトウェアの設置及び更新を容易に行うことができる、携帯用アンテナ制御装置及びアンテナ制御システムを提供することにある。
【課題を解決するための手段】
【００１６】
上記の目的を達成するために、携帯用アンテナ制御装置は、アンテナに備えられた装置を調整するための制御信号を生成する主制御部と、前記主制御部で生成された制御信号をＯＯＫ（Ｏｎ‐Ｏｆｆ  Ｋｅｙｉｎｇ）信号に変換させるモデム部と、直流電源を供給する電力管理部と、前記モデム部で変換されたＯＯＫ信号と前記電力管理部から提供された直流電源を合成して出力させるＯＯＫポートと、を含むことができる。
【００１７】
前記アンテナに備えられた装置は、電子式のダウンチルト（Ｄｏｗｎ  Ｔｉｌｔ）角を調整するためのＲＥＴ（Ｒｅｍｏｔｅ  Ｅｌｅｃｔｒｉｃａｌ  Ｔｉｌｔ）装備、方位角ステアリングを調整するためのＲＡＳ（Ｒｅｍｏｔｅ  Ａｚｉｍｕｔｈ  Ｓｔｅｅｒｉｎｇ）装備、及び方位角のビーム幅を調整するためのＲＡＢ（Ｒｅｍｏｔｅ  Ａｚｉｍｕｔｈ  Ｂｅａｍｗｉｄｔｈ）装備の少なくとも１つであることができる。
【００１８】
前記主制御部で生成された制御信号はＴＴＬ（Ｔｒａｎｓｉｓｔｏｒ‐Ｔｒａｎｓｉｓｔｏｒ  Ｌｏｇｉｃ）信号であることができる。
【００１９】
前記装置は、前記主制御部で生成された制御信号をＲＳ‐４８５信号に変換させるＲＳ‐４８５変換部と、前記ＲＳ‐４８５変換部で変換されたＲＳ‐４８５信号と前記電力管理部から提供された直流電源を合成して出力させるＲＳ‐４８５ポートと、をさらに含むことができる。
【００２０】
前記装置は、前記主制御部で生成された制御信号をＲＳ‐２３２信号に変換させるＲＳ‐２３２変換部と、前記ＲＳ‐２３２変換部で変換されたＲＳ‐２３２信号と前記電力管理部から提供された直流電源を合成して出力させるＲＳ‐２３２ポートと、をさらに含むことができる。
【００２１】
前記装置は、前記モデム部と前記ＯＯＫポートとの間に備えられ、前記モデム部で変換されたＯＯＫ信号の帯域をフィルタリングして通過させるローパスフィルタ（ＬＰＦ）をさらに含むことができる。
【００２２】
前記装置は、装置の外部から入力された電力を充電させて貯蔵する充電用電池と、装置の外部のＡＣ／ＤＣアダプタから供給されたＤＣ電圧を前記充電用電池に充電させる電池充電制御部と、をさらに含むことができる。
【００２３】
また、上記の目的を達成するために、アンテナ制御システムは、アンテナに備えられた装置を調整するための制御信号を生成してＯＯＫ（Ｏｎ‐Ｏｆｆ  Ｋｅｙｉｎｇ）信号に変換させ、前記変換されたＯＯＫ信号と直流電源を合成してＯＯＫポートを介して出力させる携帯用アンテナ制御装置と、前記携帯用アンテナ制御装置の前記ＯＯＫポートと連結された給電ケーブルを介して伝送された信号のうちＯＯＫ信号をＲＳ‐４８５信号に変換させる上部モデムと、レドームの内部にアンテナ部及び少なくとも１つの遠隔制御対象装備を備え、前記上部モデムで変換されたＲＳ‐４８５信号を受信して前記少なくとも１つの遠隔制御対象装備を制御するアンテナと、を含むことができる。
【００２４】
前記アンテナに備えられた遠隔制御対象装備は、電子式のダウンチルト（Ｄｏｗｎ  Ｔｉｌｔ）角を調整するためのＲＥＴ（Ｒｅｍｏｔｅ  Ｅｌｅｃｔｒｉｃａｌ  Ｔｉｌｔ）装備、方位角ステアリングを調整するためのＲＡＳ（Ｒｅｍｏｔｅ  Ａｚｉｍｕｔｈ  Ｓｔｅｅｒｉｎｇ）装備、及び方位角のビーム幅を調整するためのＲＡＢ（Ｒｅｍｏｔｅ  Ａｚｉｍｕｔｈ  Ｂｅａｍｗｉｄｔｈ）装備の少なくとも１つであることができる。
【００２５】
前記制御信号はＴＴＬ（Ｔｒａｎｓｉｓｔｏｒ‐Ｔｒａｎｓｉｓｔｏｒ  Ｌｏｇｉｃ）信号であることができる。
【００２６】
また、上記の目的を達成するために、アンテナ制御システムは、アンテナに備えられた装置を調整するための制御信号を生成してＯＯＫ（Ｏｎ‐Ｏｆｆ  Ｋｅｙｉｎｇ）信号に変換させ、前記変換されたＯＯＫ信号と直流電源を合成してＯＯＫポートを介して出力させる携帯用アンテナ制御装置と、前記携帯用アンテナ制御装置から出力されたＯＯＫ信号と基地局本体部から出力された無線信号とを結合して出力させるＯＯＫバイアスティ（Ｂｉａｓ  Ｔ）と、前記ＯＯＫバイアスティから出力された信号のうちＯＯＫ信号をＲＳ‐４８５信号に変換させるＣＢＴ（Ｃｏｎｖｅｒｓｉｏｎ  Ｂｉａｓ  Ｔ）と、レドームの内部にアンテナ部及び少なくとも１つの遠隔制御対象装備を備え、前記ＣＢＴで変換されたＲＳ‐４８５信号を受信して前記少なくとも１つの遠隔制御対象装備を制御するアンテナと、を含むことができる。
【００２７】
前記アンテナに備えられた遠隔制御対象装備は、電子式のダウンチルト（Ｄｏｗｎ  Ｔｉｌｔ）角を調整するためのＲＥＴ（Ｒｅｍｏｔｅ  Ｅｌｅｃｔｒｉｃａｌ  Ｔｉｌｔ）装備、方位角ステアリングを調整するためのＲＡＳ（Ｒｅｍｏｔｅ  Ａｚｉｍｕｔｈ  Ｓｔｅｅｒｉｎｇ）装備、及び方位角のビーム幅を調整するためのＲＡＢ（Ｒｅｍｏｔｅ  Ａｚｉｍｕｔｈ  Ｂｅａｍｗｉｄｔｈ）装備の少なくとも１つであることができる。
【００２８】
前記制御信号はＴＴＬ（Ｔｒａｎｓｉｓｔｏｒ‐Ｔｒａｎｓｉｓｔｏｒ  Ｌｏｇｉｃ）信号であることができる。
【００２９】
また、上記の目的を達成するために、アンテナ制御システムは、アンテナに備えられた装置を調整するための制御信号を生成してＯＯＫ（Ｏｎ‐Ｏｆｆ  Ｋｅｙｉｎｇ）信号に変換させ、前記変換されたＯＯＫ信号と直流電源を合成してＯＯＫポートを介して出力させる携帯用アンテナ制御装置と、前記携帯用アンテナ制御装置から出力されたＯＯＫ信号と基地局本体部から出力された無線信号とを結合して出力させるＯＯＫバイアスティ（Ｂｉａｓ  Ｔ）と、前記ＯＯＫバイアスティから出力された信号のうちＯＯＫ信号をＲＳ‐４８５信号に変換させるＴＭＡ（Ｔｏｗｅｒ  Ｍｏｕｎｔｅｄ  Ａｍｐｌｉｆｉｅｒ）と、レドームの内部にアンテナ部及び少なくとも１つの遠隔制御対象装備を備え、前記ＴＭＡで変換されたＲＳ‐４８５信号を受信して前記少なくとも１つの遠隔制御対象装備を制御するアンテナと、を含むことができる。
【００３０】
前記アンテナに備えられた遠隔制御対象装備は、電子式のダウンチルト（Ｄｏｗｎ  Ｔｉｌｔ）角を調整するためのＲＥＴ（Ｒｅｍｏｔｅ  Ｅｌｅｃｔｒｉｃａｌ  Ｔｉｌｔ）装備、方位角ステアリングを調整するためのＲＡＳ（Ｒｅｍｏｔｅ  Ａｚｉｍｕｔｈ  Ｓｔｅｅｒｉｎｇ）装備、及び方位角のビーム幅を調整するためのＲＡＢ（Ｒｅｍｏｔｅ  Ａｚｉｍｕｔｈ  Ｂｅａｍｗｉｄｔｈ）装備の少なくとも１つであることができる。
【００３１】
前記制御信号はＴＴＬ（Ｔｒａｎｓｉｓｔｏｒ‐Ｔｒａｎｓｉｓｔｏｒ  Ｌｏｇｉｃ）信号であることができる。
【００３２】
また、上記の目的を達成するために、アンテナ制御システムは、アンテナに備えられた装置を調整するための制御信号を生成してＯＯＫ（Ｏｎ‐Ｏｆｆ  Ｋｅｙｉｎｇ）信号に変換させ、前記変換されたＯＯＫ信号と直流電源を合成してＯＯＫポートを介して出力させる携帯用アンテナ制御装置と、前記携帯用アンテナ制御装置から出力されたＯＯＫ信号と基地局本体部から出力された無線信号とを結合して出力させるＯＯＫバイアスティ（Ｂｉａｓ  Ｔ）と、レドームの内部にアンテナ部及び少なくとも１つの遠隔制御対象装備を備え、前記ＯＯＫバイアスティで受信された信号のうちＲＳ‐４８５信号によって前記少なくとも１つの遠隔制御対象装備を制御するアンテナと、を含むことができる。
【００３３】
前記アンテナは、前記携帯用アンテナ制御装置から直接受信した信号からＯＯＫ信号を分離する信号分離部と、前記信号分離部により分離されたＯＯＫ信号を制御部で処理可能な制御信号に変換させるモデム部と、を含むことができる。
【００３４】
前記アンテナに備えられた遠隔制御対象装備は、電子式のダウンチルト（Ｄｏｗｎ  Ｔｉｌｔ）角を調整するためのＲＥＴ（Ｒｅｍｏｔｅ  Ｅｌｅｃｔｒｉｃａｌ  Ｔｉｌｔ）装備、方位角ステアリングを調整するためのＲＡＳ（Ｒｅｍｏｔｅ  Ａｚｉｍｕｔｈ  Ｓｔｅｅｒｉｎｇ）装備、及び方位角のビーム幅を調整するためのＲＡＢ（Ｒｅｍｏｔｅ  Ａｚｉｍｕｔｈ  Ｂｅａｍｗｉｄｔｈ）装備の少なくとも１つであることができる。
【００３５】
前記制御信号はＴＴＬ（Ｔｒａｎｓｉｓｔｏｒ‐Ｔｒａｎｓｉｓｔｏｒ  Ｌｏｇｉｃ）信号であることができる。
【発明の効果】
【００３６】
上記のように、本発明による携帯用アンテナ制御装置は、様々なフィールドデバイス条件でのＡＬＤ（Ａｎｔｅｎｎａ  Ｌｉｎｅ  Ｄｅｖｉｃｅｓ）をＡＩＳＧ信号に応じて制御することができる。また、本発明の実施態様によってＲＳ‐４８５信号及びＯＯＫ信号を処理することができる。
【００３７】
また、本発明による携帯用アンテナ制御装置は、ラック（Ｒａｃｋ）に固定するタイプ（ＭＣＵ）に比べて、携帯が簡便であり、保管が容易であるという利点がある。
【００３８】
また、電池を内蔵するか、または充電を可能とすることで、別の電源装置及びＰＣがなくてもＡＬＤの制御が可能である利点がある。
【００３９】
尚、ＰＣと連動できるＲＳ‐２３２ポートを備えることで、アンテナ設定ファイルのダウンロード、ソフトウェアのアップグレード、ソフトウェアのデバッグなどを容易に行うことができる利点がある。
【００４０】
また、アンテナシステムの設置時、または初期設定時に、基地局装備を用いなくてもアンテナ設定が可能である利点がある。また、アンテナシステムの設置及び運用中に問題が発生した際に、ＡＮＴの問題であるか、ＢＴＳ装備の問題であるか、を診断することができる利点がある。
【図面の簡単な説明】
【００４１】
【図１】一般の移動通信基地局における、携帯用アンテナ制御装置を用いたアンテナのＲＥＴ制御のためのシステムのブロック図である。
【図２】本発明の実施形態による移動通信基地局における、携帯用アンテナ制御装置を用いたアンテナのＲＥＴ制御のためのシステムのブロック図である。
【図３】本発明の実施形態による携帯用アンテナ制御装置の詳細構成を示すブロック図である。
【図４】本発明の実施形態による携帯用アンテナ制御装置の詳細構成を示すブロック図である。
【図５】本発明の他の実施形態による移動通信基地局における、携帯用アンテナ制御装置を用いたアンテナのＲＥＴ制御のためのシステムのブロック図である。
【図６】本発明の実施形態によるアンテナの主要部の詳細構成図である。
【図７】本発明の様々な実施形態によるアンテナシステムと携帯用アンテナ制御装置との連結関係を示す図である。
【図８】本発明の様々な実施形態によるアンテナシステムと携帯用アンテナ制御装置との連結関係を示す図である。
【図９】本発明の様々な実施形態によるアンテナシステムと携帯用アンテナ制御装置との連結関係を示す図である。
【図１０】本発明の様々な実施形態によるアンテナシステムと携帯用アンテナ制御装置との連結関係を示す図である。
【図１１】本発明の様々な実施形態によるアンテナシステムと携帯用アンテナ制御装置との連結関係を示す図である。
【図１２】本発明の様々な実施形態によるアンテナシステムと携帯用アンテナ制御装置との連結関係を示す図である。
【図１３】本発明の様々な実施形態によるアンテナシステムと携帯用アンテナ制御装置との連結関係を示す図である。
【図１４】本発明の様々な実施形態によるアンテナシステムと携帯用アンテナ制御装置との連結関係を示す図である。
【図１５】本発明の様々な実施形態によるアンテナシステムと携帯用アンテナ制御装置との連結関係を示す図である。
【図１６】本発明の実施形態による携帯用アンテナ制御装置とＰＣとの連結関係を示す図である。
【図１７】本発明の実施形態による携帯用アンテナ制御装置とアンテナシステムとの連結関係を示す図である。
【図１８】本発明の実施形態による携帯用アンテナ制御装置のポート選択画面を示す図である。
【発明を実施するための形態】
【００４２】
後述する本発明についての詳細な説明は、本発明が実施できる特定実施形態を例示として示す添付図面を参照する。これらの実施形態は、当業者が本発明を十分に実施することができるように詳細に説明される。本発明の多様な実施形態は、互いに異なるが、相互排他的な必要はないことを理解すべきである。例えば、これに記載されている特定形状、構造及び特徴は、一実施形態に関連して本発明の思想及び範囲を逸脱することなく他の実施形態に具現され得る。また、それぞれの開示された実施形態における個別構成要素の位置または配置は、本発明の思想及び範囲を逸脱することなく変更され得ることを理解するべきである。従って、後述する詳細な説明は限定的な意味で扱うものではなく、本発明の範囲は、適切に説明されるならば、その請求範囲が主張するものと均等な全ての範囲と共に、添付した請求範囲によってのみ限定される。図面において、類似の参照符号は、様々な側面にわたって同一または類似の機能を示す。
【００４３】
「第１、第２」などの序数を含む用語は、様々な構成要素を説明するために用いられることができるが、前記構成要素は前記用語によって限定されるものではない。前記用語は、一つの構成要素を他の構成要素から区別する目的でのみ用いられる。例えば、本発明の権利範囲を逸脱することなく第１構成要素は第２構成要素と命名されることができ、同様に、第２構成要素も第１構成要素と命名されることができる。「及び／または」という用語は、記載されたの複数の関連項目の組み合わせ、または記載された複数の関連項目の何れかの項目を含む。
【００４４】
一方、本発明で用いる用語は、ただ特定の実施形態を説明するために用いられたものであり、本発明を限定しようとする意図ではない。単数の表現は、文脈上明白に異なって意味しない限り、複数の表現を含む。また、本発明において、「含む」または「有する」などの用語は、明細書に記載の特徴、数字、ステップ、動作、構成要素、部品、またはこれらの組み合わせが存在することを指定しようとするものであり、一つまたはそれ以上の他の特徴や数字、ステップ、動作、構成要素、部品、またはこれらの組み合わせの存在または付加可能性をあらかじめ排除するものではないと理解されるべきである。
【００４５】
他に定義されない限り、技術的または科学的な用語を含んでここで用いられる全ての用語は、本発明が属する技術分野において通常の知識を有する者によって一般的に理解されるものと同一の意味を有する。一般的に用いられる辞典に定義されているものと同じ用語は関連技術の文脈上有する意味と一致する意味を有すると解釈されるべきであり、本出願で明白に定義しない限り、理想的または過度に形式的な意味で解釈されない。
【００４６】
本発明の実施形態は、移動通信基地局のアンテナシステムを遠隔制御することができる、携帯用アンテナ制御装置を開示する。
【００４７】
本発明の実施形態による携帯用アンテナ制御装置は、３ＧＰＰ（３ｒｄ  Ｇｅｎｅｒａｔｉｏｎ  Ｐａｒｔｎｅｒｓｈｉｐ  Ｐｒｏｊｅｃｔ）ベース、またはＡＩＳＧ（Ａｎｔｅｎｎａ  Ｉｎｔｅｒｆａｃｅ  Ｓｔａｎｄａｒｄｓ  Ｇｒｏｕｐ）プロトコルによって該当アンテナの動作（例えば、ＲＥＴ、ＲＡＳ及び、ＲＡＢなどの動作）を制御することができる。
【００４８】
この際、本発明の実施形態による携帯用アンテナ制御装置は、従来のＲＳ‐４８５通信インタフェースだけでなく、ＯＯＫ通信インタフェースを備えることで、ＲＦ給電ケーブル（ｆｅｅｄｅｒ  ｃａｂｌｅ）を介してアンテナシステムを制御することができる。また、本発明の実施形態によってＲＳ‐２３２通信インタフェースをさらに備えることで、ＰＣと連結してソフトウェアの設置及び更新を容易に行うことができる。
【００４９】
一方、後述する本発明の実施形態において、ＰＡＣ（Ｐｏｔａｂｌｅ  Ａｎｔｅｎｎａ  Ｃｏｎｔｒｏｌｌｅｒ）は、アンテナシステムと連結してアンテナの各機能を制御することができる携帯用アンテナ制御装置を総称する最上位の概念であって、前記用語が特定装置を限定するものではない。
【００５０】
ＴＭＡ（Ｔｏｗｅｒ  Ｍｏｕｎｔｅｄ  Ａｍｐｌｉｆｉｅｒ）は、ＬＮＡ（Ｌｏｗ  Ｎｏｉｓｅ  Ａｍｐｌｉｆｉｅｒ）を含む装置であって、それをコントロール及び電気的にモニタリングすることができ、モデム機能をさらに含むことができる。
【００５１】
ＲＥＴ（Ｒｅｍｏｔｅ  Ｅｌｅｃｔｒｉｃａｌ  Ｔｉｌｔ）は、上述のように、アンテナのビーム（Ｂｅａｍ）の傾きを電気的な信号（例えば、ＡＩＳＧ信号）で制御することで調整が可能な装置である。
【００５２】
ＡＩＳＧケーブル（Ｃａｂｌｅ）は、ＡＩＳＧ規定に準じてＢＴＳとアンテナとの間の電源供給及び通信が可能であるように連結するケーブルアセンブリを意味する。
【００５３】
デイジーチェーン（Ｄａｉｓｙ  Ｃｈａｉｎ）は、種々の装置を順に連結し、それぞれの装置を並列に連結することで、電気的な通信を可能とする連結方式の一種である。
【００５４】
ＢＴＳ（Bａｓｅ  Ｔｒａｎｓｃｅｉｖｅｒ  Ｓｔａｔｉｏｎ）は、他のＢＴＳまたはセルサイト（Ｃｅｌｌ  Ｓｉｔｅ）のユーザ装備（ＵＥ；Ｕｓｅｒ  Ｅｑｕｉｐｍｅｎｔ）とネットワークとの無線通信を可能とする装備である。
【００５５】
ＲＳ‐４８５信号は、本発明の実施形態でＡＩＳＧ信号として用いられ、搬送波の有無によってデジタルデータを表示する変調方式の一種である。
【００５６】
ＯＯＫ（Ｏｎ‐Ｏｆｆ  Ｋｅｙｉｎｇ）信号は、本発明の実施形態でＡＩＳＧ信号として用いられ、2線式半二重多重点直列連結に対するＯＳＩモデルの物理階層に該当する。
【００５７】
ＣＢＴ（Ｃｏｎｖｅｒｓｉｏｎ  Ｂｉａｓ  Ｔ）は、ＢＳモデムとアンテナモデムの２つがあり、ＲＳ‐４８５信号をＯＯＫ信号に、またはＯＯＫ信号をＲＳ‐４８５信号に変換する装置またはモデムを意味する。
【００５８】
ＲＦ給電ケーブル（Ｆｅｅｄｅｒ  Ｃａｂｌｅ）は、アンテナ信号を送・受信できるように連結する同軸ケーブルの一種である。
【００５９】
ＯＯＫバイアスティ（Ｂｉａｓ  Ｔ）は、ＲＦ信号とＡＩＳＧ信号を合成または分離して出力できる装置であって、ＲＧ‐３１６ケーブルは標準同軸ケーブルの１つである。
【００６０】
ＡＬＤ（Ａｎｔｅｎｎａ  Ｌｉｎｅ  Ｄｅｖｉｃｅ）は、アドレスを有することのできる物理的装置を称する用語であって、ＲＥＴまたはＴＭＡなどがこれに該当する。
【００６１】
以下、本発明が属する技術分野において通常の知識を有する者が本発明を容易に実施できるように、本発明の好ましい実施形態について添付図面を参照して詳細に説明する。
【００６２】
図２は、本発明の実施形態による移動通信基地局における、携帯用アンテナ制御装置（ＰＡＣ）を用いたアンテナのＲＥＴ制御のためのシステムのブロック図である。図２を参照すると、本発明の実施形態によるＰＡＣ（Ｐｏｒｔａｂｌｅ  Ａｎｔｅｎｎａ  Ｃｏｎｔｒｏｌｌｅｒ）２００は、アンテナシステムの上部モデム１３とＲＦ給電ケーブルを介して連結されることで、アンテナシステムとＯＯＫ信号を送受信することができる。
【００６３】
すなわち、本発明の実施形態によるＰＡＣ２００は、ＯＯＫ信号を送受信することができる別のＯＯＫポートを備えるとともに、ＯＯＫ信号を変換及び処理することができるモデム（例えば、ＡＩＳＧモデム）を別に備えることで、ＯＯＫ信号を用いたアンテナシステムの制御が可能となる。
【００６４】
これにより、ＰＡＣ２００から送信されたＯＯＫ信号は、アンテナシステムの上部モデム１３によってＲＳ‐４８５信号に変換され、前記変換されたＲＳ‐４８５信号はＲＥＴ１４に伝送される。
【００６５】
より具体的に説明すると、前記アンテナシステムとＰＡＣ２００とはＲＦ給電ケーブルにより連結されることができ、前記ＲＦ給電ケーブルは、上述のように、ＲＦ信号、ＤＣ信号、及びＯＯＫ信号が同時に伝送されることができる。
【００６６】
したがって、前記アンテナシステムの上部モデム１３に伝送されたＲＦ＋ＤＣ＋ＯＯＫ信号は、上部モデム１３でＲＦ信号とＤＣ＋ＯＯＫ信号とに分離され、ＯＯＫ信号はＲＳ‐４８５信号に変換される。この際、前記ＲＦ信号はＲＦ給電ケーブルを介してアンテナ１０の第１のアンテナ部１１に伝送され、ＤＣ＋ＲＳ‐４８５信号はＡＩＳＧケーブルを介してＲＥＴ１４に伝送される。この際、前記ＲＥＴ１４に伝送されたＲＳ‐４８５信号によってＲＥＴ１４が制御されることで、ＰＡＣ２００におけるＯＯＫ信号によるアンテナシステム（例えば、ＲＥＴ１４）の制御が可能となる。
【００６７】
以下、図３及び図４を参照して、本発明の実施形態によるＰＡＣ２００の詳細構造を説明する。
【００６８】
図３は、本発明の実施形態による携帯用アンテナ制御装置の詳細構成を示すブロック図である。図３を参照すると、本発明の実施形態によるＰＡＣ２００は、入力部３１０と、表示部３２０と、主制御部３３０と、ＲＳ‐４８５変換部３４０と、ＲＳ‐４８５ポート３５０と、ＡＩＳＧモデム部３６０と、電力管理部３７０と、ＯＯＫポート３８０と、を含んで構成されることができる。
【００６９】
入力部３１０は、キーパッドなどのように情報を入力することができる手段であり、表示部３２０は、ＬＣＤなどのように情報を出力することができる手段である。主制御部３３０は中央処理装置であって、ＰＡＣ２００の各構成を制御する機能を担う。
【００７０】
ＲＳ‐４８５変換部３４０は、ＲＳ‐４８５ポート３５０を介して受信されるＲＳ‐４８５信号を主制御部３３０で処理可能な信号に、例えば、ＡＩＳＧ（Ａｎｔｅｎｎａ  Ｉｎｔｅｒｆａｃｅ  Ｓｔａｎｄａｒｄｓ  Ｇｒｏｕｐ）規格の信号をＴＴＬ（Ｔｒａｎｓｉｓｔｏｒ  ｔｏ  Ｔｒａｎｓｉｓｔｏｒ  Ｌｏｇｉｃ）信号に変換させる機能を担う。また、主制御部３３０から受信されたアンテナシステム制御信号（例えば、ＴＴＬ信号）をＲＳ‐４８５信号に変換させる。ＲＳ‐４８５ポート３５０は、ＲＳ‐４８５信号の出力ポートである。したがって、ＲＳ‐４８５変換部３４０により変換されたＲＳ‐４８５信号は、ＲＳ‐４８５ポート３５０を介してアンテナシステムに伝送されることができる。
【００７１】
ＡＩＳＧモデム部３６０は、ＯＯＫポート３８０を介して受信されるＯＯＫ信号を主制御部３３０で処理可能な信号に、例えば、ＡＩＳＧ（Ａｎｔｅｎｎａ  Ｉｎｔｅｒｆａｃｅ  Ｓｔａｎｄａｒｄｓ  Ｇｒｏｕｐ）規格の信号をＴＴＬ（Ｔｒａｎｓｉｓｔｏｒ  ｔｏ  Ｔｒａｎｓｉｓｔｏｒ  Ｌｏｇｉｃ）信号に変換させる機能を担う。また、主制御部３３０から受信されたアンテナシステム制御信号（例えば、ＴＴＬ信号）をＯＯＫ信号に変換させる。ＯＯＫポート３８０は、ＯＯＫ信号の入出力ポートである。したがって、ＡＩＳＧモデム部３６０により変換されたＯＯＫ信号は、ＯＯＫポート３８０を介してアンテナシステムに伝送されることができる。
【００７２】
この際、ＯＯＫポート３８０では、電力管理部３７０から電力信号（例えば、ＤＣ（Ｄｉｒｅｃｔ  Ｃｕｒｒｅｎｔ）電力信号）の提供を受け、前記ＡＩＳＧモデム部３６０から伝送されたＯＯＫ信号とともにアンテナシステムに伝送する。
【００７３】
このように、本発明の実施形態によるＰＡＣ２００は、図３に示されたように、ＲＳ‐４８５信号の通信だけでなく、ＯＯＫ信号の通信を提供することができる。
【００７４】
図４は、本発明の実施形態による携帯用アンテナ制御装置（ＰＡＣ）の詳細構成を示すブロック図である。図４を参照すると、本発明の実施形態によるＰＡＣ２００は、図３のＰＡＣ２００の構成に加えて、格納部４１０と、ＷＤＴ（Ｗａｔｃｈ  Ｄｏｃ  Ｔｉｍｅｒ）４２０と、ＲＴＣ（Ｒｅａｌ  Ｔｉｍｅ  Ｃｌｏｃｋ）４３０と、ＲＳ‐２３２変換部４４０と、ＲＳ‐２３２ポート４５０と、ＬＰＦ（Ｌｏｗ  Ｐａｓｓ  Ｆｉｌｔｅｒ）４６と、などをさらに含むことができる。
【００７５】
格納部４１０は、本発明の実施形態によるアンテナシステムを制御するための各種情報を格納することができる。例えば、制御履歴情報として、日付、時間、ＢＴＳ  ＩＤ、セクタ  ＩＤ、アンテナモデル、アラーム履歴、チルト（ｔｉｌｔ）駆動角などの情報を含むことができる。また、前記格納部４１０はＥＥＰＲＯＭ（ｅｌｅｃｔｒｉｃａｌｌｙ  ｅｒａｓａｂｌｅ  ｐｒｏｇｒａｍｍａｂｌｅ  ｒｅａｄ‐ｏｎｌｙ  ｍｅｍｏｒｙ）であることができるが、本発明がこれに限定されるものではない。
【００７６】
ＷＤＴ４２０は、主制御部３３０のバグまたはエラーの発生時にリセット（ｒｅｓｅｔ）信号を発生させることで、主制御部３３０を初期化して再動作させる機能を担う。ＲＴＣ（Ｒｅａｌ  Ｔｉｍｅ  Ｃｌｏｃｋ）４３０は、ＰＡＣ２００内に電源が供給されなくても時間情報を提供する機能を担う。
【００７７】
ＬＰＦ４６０は、送受信されるＯＯＫ信号の帯域をフィルタリングして通過させる機能を担う。例えば、ＯＯＫ信号のオン／オフ（Ｏｎ／ｏｆｆ）レベルである２．１７６ＭＨｚ帯で信号をバイパス（Ｂｙ‐ｐａｓｓ）させる。
【００７８】
電力管理部３７０は、示されているように、第１の整流部３７１と、スイッチ部３７２と、第２の整流部３７３と、電池充電制御部（Ｂａｔｔｅｒｙ  Ｃｈａｒｇｅ  ｃｏｎｔｒｏｌｌｅｒ）３７４と、電池（Ｂａｔｔｅｒｙ  Ｐａｃｋ）３７５と、昇圧部３７６と、第１の電圧降下部３７７と、第２の電圧降下部３７８と、第３の電圧降下部３７９と、などを含んで構成されることができる。
【００７９】
ＡＣ／ＤＣアダプタ（ＡＣ／ＤＣ  Ａｄａｐｔｅｒ）４７０は、ＡＣ入力電圧をＤＣ（例えば、２４Ｖ）に変換してＰＡＣ２００に供給する。前記ＡＣ／ＤＣアダプタ４７０から供給されたＤＣ電圧は、第１の整流部３７１、スイッチ部３７２、及び第２の整流部３７３を介してＯＯＫポート３８０に提供されることができる。この際、第１の整流部３７１は、ＡＣ／ＤＣアダプタ４７０から供給されるＤＣ（２４Ｖ）電圧と、電池３７５から昇圧部３７６を介して供給される電圧とが衝突して短絡回路（Ｓｈｏｒｔ  Ｃｉｒｃｕｉｔ）となることを防止し、ダイオード（ｄｉｏｄｅ）などを用いて実現されることができる。スイッチ部３７２は、ＰＡＣ２００の主電源をスイッチングする機能を担う。第２の整流部３７３は、ＯＯＫポート３８０から引き込まれる逆電圧（電流）を遮断する役割を担う。
【００８０】
電池充電制御部３７４は、ＡＣ／ＤＣアダプタ４７０から供給されたＤＣ電圧を電池３７５に充電させる機能を担う。電池３７５は、ＡＣ／ＤＣアダプタ４７０から供給されたＤＣ電圧を電池充電制御部３７４の制御に応じて充電させ、外部からの電源供給がない場合には、昇圧部３７６を介してＰＡＣ２００内に電源を供給させる。一方、前記電池３７５の充電機能によりＰＡＣ２００の携帯が可能となり、電源コンセントのない地域でもＰＡＣ２００の使用が可能となる。
【００８１】
昇圧部３７６は、電池３７５に充電された電圧を受けて予め設定された電圧（例えば、１８〜１９Ｖ）に昇圧（Ｓｔｅｐ  Ｕｐ）させる機能を担う。
【００８２】
第１の電圧降下部３７７は、入力された電圧を１５Ｖに降下（Ｓｔｅｐ  Ｄｏｗｎ）させ、第２の電圧降下部３７８は、入力された電圧を５Ｖに降下（Ｓｔｅｐ  Ｄｏｗｎ）させ、第３の電圧降下部３７９は、入力された電圧を３．３Ｖに降下（Ｓｔｅｐ  Ｄｏｗｎ）させる。前記複数の電圧降下部３７７〜３７９は、１つの電圧降下部として実現されてもよい。
【００８３】
一方、前記ＰＡＣ２００を携帯用として用いる場合、電池３７５が満充電された状態となってＡＣ／ＤＣアダプタ４７０を取り外すと、上述のように電池３７５から電源が供給されることができる。
【００８４】
一方、前記ＰＡＣ２００のそれぞれの構成要素は、機能及び論理的に分離され得るということを示すために別に図面に示したものであって、必ずしも物理的に別の構成要素であるということや、別のコードにより実現されることを意味するのではない。
【００８５】
また、本明細書において各機能部とは、本発明の技術的思想を行うためのハードウェア及び前記ハードウェアを駆動するためのソフトウェアの機能的、構造的結合を意味し得る。
【００８６】
例えば、前記各機能部は、所定のコードと、前記所定のコードが実行されるためのハードウェアリソースの論理的な単位を意味し得て、必ずしも物理的に連結されているコードを意味したり、一種のハードウェアを意味するのではないことは、本発明の技術分野における平均的専門家であれば容易に推論できる。
【００８７】
以上、図３及び図４を参照して本発明の実施形態によるＰＡＣ２００の詳細構成の例を説明した。一方、前記図２では、本発明の実施形態によるＰＡＣ２００が、ＯＯＫ信号をＲＳ‐４８５信号に変換する上部モデム１３を介してアンテナシステムと連結されていたが、図５に示されたように、ＰＡＣ２００が、上部モデム１３０なしにＲＦ給電ケーブルを介してアンテナ１０に直接連結されていてもよい。
【００８８】
すなわち、ＰＡＣ２００から出力されるアンテナ制御信号であるＯＯＫ信号はＲＦ給電ケーブルを介してアンテナシステムに提供されることができ、図２と異なって、下部モデム（図２の１３）を経ずに、本発明の実施形態によって、アンテナ１０のレドームの下部キャップに形成されたコネクタ（ＤＩＮコネクタ）に直接連結されるように構成されることができる。
【００８９】
この際、アンテナ１０には、そのレドームの内部に信号分離部１５が備えられているが、信号分離部１５は、ＲＦ信号とＤＣ信号（及びＤＣ信号と結合されたＯＯＫ信号）を分離するために、キャパシタＣとインダクタＬによって簡単に構成されるバイアス‐Ｔ（ｂｉａｓ‐Ｔ）構造を有することができ、関連部品及び回路パターンが印刷されたＰＣＢ（Ｐｒｉｎｔｅｄ  Ｃｉｒｃｕｉｔ  Ｂｏａｒｄ）形態に実現されることができる。
【００９０】
このような構造を有する信号分離部１５は、アンテナ１０の内部から給電ケーブルを介してＤＩＮコネクタに入力されたＲＦ＋ＤＣ＋ＯＯＫ信号の提供を受け、ＤＣ信号＋ＯＯＫ信号をフィルタリングしてＲＥＴ装備１６に提供し、ＲＦ信号は、複数の送受信放射素子で構成される第１のアンテナ部１１に提供される。一方、アンテナ１０には、それぞれ複数の送信及び受信放射素子で構成される複数のアンテナ部、例えば、第１のアンテナ部１１及び第２のアンテナ部１２などが備えられることができ、本発明において、ＲＥＴ装備１６を制御するための制御信号は、それらのうち１つのアンテナ部、例えば、第１のアンテナ部１１の給電ケーブルを介して提供されることができる。
【００９１】
ＲＥＴ装備１６は、ＲＥＴ制御のための基本的な構成を有することができ、前記信号分離部１５から提供されるＤＣ＋ＯＯＫ信号を受信してＤＣ信号を動作電源として用いることができる。また、ＲＥＴ装備１６は、ＯＯＫ信号を、内部的に認識可能に予め設定されたフォーマットに、例えば、ＲＳ‐４８５信号及びＴＴＬ（Ｔｒａｎｓｉｓｔｏｒ‐Ｔｒａｎｓｉｓｔｏｒ  Ｌｏｇｉｃ）信号に変換するモデム１６１を備える。これにより、ＲＥＴ装備１６は、内部的に備えられる前記モデム１６１を介してＲＥＴ制御命令を受信し、関連するＲＥＴ制御動作を行うことになる。この場合、ＲＥＴ装備１６と信号分離部１５とは通常の同軸ケーブルを用いて連結されることができる。
【００９２】
上記のような構成について説明すると、ＲＥＴ装備１６及び信号分離部１５などは、アンテナ１０の外観を形成するレドームの内部に取り付けられ、これらの間が同軸ケーブルにより連結される構造を有することができる。したがって、図２と比較して、ＰＡＣ２００とＯＯＫ信号を送受信するための上部モデムが不要となる。したがって、上部モデム自体に対する別の製作コストや、上部モデムをアンテナ１０の外部に取り付けるのに必要な設置コストなどを低減することができる。
【００９３】
一方、上記では、アンテナ１０に取り付けられ、基地局本体システムから伝送された制御信号を受信して該当制御信号に応じた動作を行う装備として、ＲＥＴ装備１６を例としたが、ＲＡＳ及びＲＡＢ装備も同様に取り付けられ、同様の方式により動作することができる。また、ＲＥＴ装備、ＲＡＳ装備、及びＲＡＢ装備が全て取り付けられる場合には、それらの間がＡＩＳＧケーブルを用いてデイジーチェーン方式により連結される構造を有することができる。
【００９４】
図６は図５に示されたアンテナの主要部の詳細構成図であって、信号分離部１５及びＲＥＴ装備１６の詳細構成などが開示されている。図６を参照すると、信号分離部１５は、基本的にキャパシタＣとインダクタＬで構成されるバイアス‐Ｔ構造を有するが、第１のキャパシタＣ１によって実質的にＲＦ信号のみが分離されて第１のアンテナ部１１に提供され、第１のインダクタＬ１によって実質的にＤＣ＋ＯＯＫ信号が分離されてＲＥＴ装備１６に提供される。
【００９５】
ＲＥＴ装備１６には、前記信号分離部１５から提供されるＤＣ＋ＯＯＫ信号を受信し、そのうちＤＣ信号を内部の各機能部の動作電源として提供する電源部１６２が備えられており、さらに、前記図２でも説明したように、ＯＯＫ信号をＴＴＬ信号に変換するモデム１６１が備えられる。このような電源部１６２は、例えば、１０〜３０ＶのＤＣ電圧の供給を受けることができるが、３個の電力ＩＣを備えて、例えば、それぞれ＋１２Ｖ、＋５Ｖ、＋３．３Ｖに電圧変換して該当電圧が必要な各機能部に供給することができる。
【００９６】
モデム１６１から出力されるＴＴＬ信号は第１のＲＳ‐４８５回路１６３に提供されるが、第１のＲＳ‐４８５回路１６３は、それをＲＳ‐４８５信号に変換して第２のＲＳ‐４８５回路１６４に提供する。第２のＲＳ‐４８５回路１６４は、それをさらにＣＰＵ（Ｃｅｎｔｒａｌ  Ｐｒｏｃｅｓｓｉｎｇ  Ｕｎｉｔ）が処理可能なＴＴＬ信号に変換してＣＰＵ１６５に提供する。これにより、ＣＰＵ１６５は制御命令を受信し、ＲＥＴ調整のための電気・器具的装備であるモータ１７及びＭＬＰＳ（Ｍｕｌｔｉ  Ｌｉｎｅ  Ｐｈａｓｅ  Ｓｈｉｆｔｅｒ）１８を駆動するためにモータ駆動部１６６に動作制御信号を出力し、モータ駆動部１６６は、それに応じて前記モータ１７を駆動させる。
【００９７】
上記において、モデム１６１から提供されるＴＴＬ信号を第１のＲＳ‐４８５回路１６３及び第２のＲＳ‐４８５回路１６４を用いてＲＳ‐４８５信号に変換した後、さらにＴＴＬ信号に変換することは、例えば、デイジーチェーン形態で連結される他の遠隔制御対象装備であるＲＡＳ及びＲＡＢ装備、またはさらに別のＲＥＴ装備などのためのことであって、第１のＲＳ‐４８５回路１６３でＲＳ‐４８５信号に変換された信号は、第２のＲＳ‐４８５回路１６４とともにＡＩＳＧコネクタに分配されるように構成され、これにより外部に提供されるように構成される。これにより、ＲＡＳ装備及びＲＡＢ装備またはＲＥＴ装備などがデイジーチェーン形態で連結されている場合、上述のように、ＲＥＴ装備１６から外部に出力されるＲＳ‐４８５信号の提供を受けることができることになる。
【００９８】
一方、前記ＭＬＰＳ１８は、第１のアンテナ部１１（及び／または第２のアンテナ部１２）の各放射素子の位相が、互いに予め設定された差だけ生じるように調整することで、全体的なアンテナのダウンチルト（Ｄｏｗｎ  Ｔｉｌｔ）角を調整する。前記ＭＬＰＳ１８は、実際には、信号分離部１５から第１のアンテナ部１１（及び／または、第２のアンテナ部１２）の各放射素子に提供される信号の経路に設けられるが、図６では、説明の便宜のために、ＭＬＰＳ１８の位置を概略的に示した。
【００９９】
上記のように、本発明の一実施形態による移動通信基地局のアンテナシステムの構成及び動作がなされることができる。一方、上記の本発明の説明で具体的な実施形態について説明したが、様々な変形が本発明の範囲を逸脱することなく実施されることができる。
【０１００】
例えば、上記の説明では、アンテナ１０に取り付けられ、基地局本体システムから伝送された制御信号を受信して該当制御信号に応じた動作を行う装備として、ＲＥＴ装備１６を例としたが、ＲＡＳ及びＲＡＢ装備も同様に取り付けられ、同様の方式により動作することができる。また、その他にも、様々な装備が同様の方式により設けられることができる。
【０１０１】
以上、本発明の実施形態によるＰＡＣ２００の詳細構造及びそれと連結されるアンテナシステムの様々な実施形態を説明した。
【０１０２】
以下では、図７〜図１５を参照して、本発明の実施形態によるＰＡＣ２００が、様々な形態で構成されたアンテナシステムと連結されるアンテナ制御システムの例を説明する。
【０１０３】
図７〜図１５は、本発明の様々な実施形態によるアンテナシステムと携帯用アンテナ制御装置との連結関係を示す図面である。
【０１０４】
図７を参照すると、アンテナ１０はＲＦ給電ケーブルを介して基地局本体部２１と連結される。この際、前記アンテナ１０の一端子は、ＲＦ給電ケーブルを介して基地局本体部２１と直接連結され、他端子はＣＢＴ７１０及びＯＯＫバイアスティ７２０を介して基地局本体部２１と連結されることができる。
【０１０５】
前記ＣＢＴ７１０は、上述のように、ＲＳ‐４８５信号をＯＯＫ信号に、またはＯＯＫ信号をＲＳ‐４８５信号に変換する機能を担うものであり、ＯＯＫバイアスティ（Ｂｉａｓ  Ｔ）７２０は、ＲＦ信号とＡＩＳＧ信号を結合または分離する機能を担う。
【０１０６】
したがって、本発明の実施形態によると、ＰＡＣ２００がＯＯＫポート３８０を介してＯＯＫバイアスティ７２０とケーブルにより連結されると、ＯＯＫバイアスティ７２０では、基地局本体部２１から提供されるＲＦ信号と、ＰＡＣ２００のＯＯＫポート３８０から出力されるＤＣ＋ＯＯＫ信号を統合してＣＢＴ７１０に伝送する。ＣＢＴ７１０では、前記ＯＯＫバイアスティ７２０からＲＦ＋ＤＣ＋ＯＯＫ信号を受信し、ＤＣ＋ＯＯＫ信号をＤＣ＋ＲＳ‐４８５信号に変換させてＲＥＴ１４に提供する。このようにすることで、ＰＡＣ２００がＯＯＫ信号によってアンテナ１０のＲＥＴ１４を制御することができる。
【０１０７】
図８を参照すると、アンテナ１０はＲＦ給電ケーブルを介して基地局本体部２１と連結される。この際、前記アンテナ１０の一端子は、ＲＦ給電ケーブルを介して基地局本体部２１と直接連結され、他端子は、２つのＣＢＴ７１０、７３０（以下、第１のＣＢＴ７１０及び第２のＣＢＴ７３０という）を介して基地局本体部２１と連結されることができる。
【０１０８】
前記ＣＢＴ７１０、７３０は、上述のように、ＲＳ‐４８５信号をＯＯＫ信号に、またはＯＯＫ信号をＲＳ‐４８５信号に変換する機能を担う。
【０１０９】
したがって、本発明の実施形態によると、ＰＡＣ２００がＲＳ‐４８５ポート３５０を介して第２のＣＢＴ７３０とケーブルにより連結されると、第２のＣＢＴ７３０では、基地局本体部２１から提供されるＲＦ信号と、ＰＡＣ２００のＲＳ‐４８５ポート３５０から出力されるＤＣ＋ＲＳ‐４８５信号を変換及び統合して第１のＣＢＴ７１０に伝送する。
【０１１０】
すなわち、第２のＣＢＴ７３０では、ＰＡＣ２００のＲＳ‐４８５ポート３５０から出力されるＤＣ＋ＲＳ‐４８５信号をＤＣ＋ＯＯＫ信号に変換させ、変換されたＤＣ＋ＯＯＫ信号をＲＦ信号と統合して第１のＣＢＴ７１０に伝送する。
【０１１１】
第１のＣＢＴ７１０では、前記第２のＣＢＴ７３０からＲＦ＋ＤＣ＋ＯＯＫ信号を受信し、ＤＣ＋ＯＯＫ信号をＤＣ＋ＲＳ‐４８５信号に変換させてＲＥＴ１４に提供する。このようにすることで、ＰＡＣ２００がＲＳ‐４８５信号によってアンテナ１０のＲＥＴ１４を制御することができる。
【０１１２】
図９を参照すると、アンテナ１０はＲＦ給電ケーブルを介して基地局本体部２１と連結されることができ、前記アンテナ１０と基地局本体部２１との間にはＴＭＡ７４０が備えられることができる。ＴＭＡ（Ｔｏｗｅｒ  Ｍｏｕｎｔｅｄ  Ａｍｐｌｉｆｉｅｒ）は、上述のように、ＬＮＡ（Ｌｏｗ  Ｎｏｉｓｅ  Ａｍｐｌｉｆｉｅｒ）を含む装置であって、それをコントロール及び電気的にモニタリングすることができ、モデム機能をさらに含むことができる。この際、ＴＭＡ７４０において基地局本体部２１と連結される一端子は、示されたようにＣＢＴ７３０と連結されることができる。前記ＣＢＴ７３０は、上述のように、ＲＳ‐４８５信号をＯＯＫ信号に、またはＯＯＫ信号をＲＳ‐４８５信号に変換する機能を担う。
【０１１３】
したがって、本発明の実施形態によると、ＰＡＣ２００がＲＳ‐４８５ポート３５０を介してＣＢＴ７３０とケーブルにより連結されると、ＣＢＴ７３０では、基地局本体部２１から提供されるＲＦ信号と、ＰＡＣ２００のＲＳ‐４８５ポート３５０から出力されるＤＣ＋ＲＳ‐４８５信号を変換及び統合してＴＭＡ７４０に伝送する。すなわち、ＣＢＴ７３０では、ＰＡＣ２００のＲＳ‐４８５ポート３５０から出力されるＤＣ＋ＲＳ‐４８５信号をＤＣ＋ＯＯＫ信号に変換させ、変換されたＤＣ＋ＯＯＫ信号をＲＦ信号と統合してＴＭＡ７４０に伝送する。
【０１１４】
ＴＭＡ７４０では、前記ＣＢＴ７３０からＲＦ＋ＤＣ＋ＯＯＫ信号を受信し、ＤＣ＋ＯＯＫ信号をＤＣ＋ＲＳ‐４８５信号に変換させてＲＥＴ１４に提供する。このようにすることで、ＰＡＣ２００がＲＳ‐４８５信号によってアンテナ１０のＲＥＴ１４を制御することができる。
【０１１５】
図１０を参照すると、アンテナ１０はＲＦ給電ケーブルを介して基地局本体部２１と連結されることができ、前記アンテナ１０と基地局本体部２１との間にはＴＭＡ７４０が備えられることができる。ＴＭＡ（Ｔｏｗｅｒ  Ｍｏｕｎｔｅｄ  Ａｍｐｌｉｆｉｅｒ）は、上述のように、ＬＮＡ（Ｌｏｗ  Ｎｏｉｓｅ  Ａｍｐｌｉｆｉｅｒ）を含む装置であって、それをコントロール及び電気的にモニタリングすることができ、モデム機能をさらに含むことができる。この際、ＴＭＡ７４０において基地局本体部２１と連結される一端子は、示されたように、ＯＯＫバイアスティ７２０と連結されることができる。前記ＯＯＫバイアスティ（Ｂｉａｓ  Ｔ）７２０は、上述のように、ＲＦ信号とＡＩＳＧ信号を結合または分離する機能を担う。
【０１１６】
したがって、本発明の実施形態によると、ＰＡＣ２００がＯＯＫポート３８０を介してＯＯＫバイアスティ７２０とケーブルにより連結されると、ＯＯＫバイアスティ７２０では、基地局本体部２１から提供されるＲＦ信号と、ＰＡＣ２００のＯＯＫポート３８０から出力されるＤＣ＋ＯＯＫ信号を統合してＴＭＡ７４０に伝送する。ＴＭＡ７４０では、前記ＯＯＫバイアスティ７２０からＲＦ＋ＤＣ＋ＯＯＫ信号を受信し、ＤＣ＋ＯＯＫ信号をＤＣ＋ＲＳ‐４８５信号に変換させてＲＥＴ１４に提供する。このようにすることで、ＰＡＣ２００がＯＯＫ信号によってアンテナ１０のＲＥＴ１４を制御することができる。
【０１１７】
図１１を参照すると、ＰＡＣ２００はＲＳ‐４８５ポート３５０を介してアンテナ１０のＲＥＴ１４とケーブルにより直接連結されることができる。したがって、前記ＰＡＣ２００のＲＳ‐４８５ポート３５０から出力されるＤＣ＋ＲＳ‐４８５信号をＲＥＴ１４に直接提供することができる。このようにすることで、ＰＡＣ２００がＲＳ‐４８５信号によってアンテナ１０のＲＥＴ１４を制御することができる。また、図１２を参照すると、ＰＡＣ２００のＲＳ‐４８５ポート３５０に連結されたケーブルと、アンテナ１０のＲＥＴ１４に連結されたケーブルとを互いに連結することで、ＰＡＣ２００のＲＳ‐４８５ポート３５０とアンテナ１０のＲＥＴ１４が連結されることができる。したがって、作業者がアンテナ１０が設置されているタワーに直接登らなくてもケーブルの連結が可能である。
【０１１８】
図１３〜図１５は、図５及び図６に示されたようにアンテナ１０の内部にＣＢＴ機能が内蔵された形態で、本発明の実施形態によるＰＡＣ２００をアンテナ１０に連結する様々な方法を示す。
【０１１９】
図１３を参照すると、アンテナ１０はＲＦ給電ケーブルを介して基地局本体部２１と連結される。この際、前記アンテナ１０の一端子は、ＲＦ給電ケーブルを介して基地局本体部２１と直接連結され、他端子はＯＯＫバイアスティ７２０を介して基地局本体部２１と連結されることができる。
【０１２０】
前記ＯＯＫバイアスティ（Ｂｉａｓ  Ｔ）７２０は、上述のように、ＲＦ信号とＡＩＳＧ信号を結合または分離する機能を担う。
【０１２１】
したがって、本発明の実施形態によると、ＰＡＣ２００がＯＯＫポート３８０を介してＯＯＫバイアスティ７２０とケーブルにより連結されると、ＯＯＫバイアスティ７２０では、基地局本体部２１から提供されるＲＦ信号と、ＰＡＣ２００のＯＯＫポート３８０から出力されるＤＣ＋ＯＯＫ信号を統合してアンテナ１０に伝送する。アンテナ１０では、前記ＯＯＫバイアスティ７２０からＲＦ＋ＤＣ＋ＯＯＫ信号を受信し、図５に示されたように、アンテナ１０内の信号分離部１５によってＲＦ＋ＤＣ＋ＯＯＫ信号からＤＣ＋ＯＯＫ信号を分離する。このように分離されたＤＣ＋ＯＯＫ信号は、ＲＥＴ１６に含まれたモデム１６１によってＯＯＫ信号がＴＴＬ信号またはＲＳ‐４８５信号に変換されることで、ＲＥＴ１４を制御することができる。
【０１２２】
図１４を参照すると、アンテナ１０はＲＦ給電ケーブルを介して基地局本体部２１と連結される。この際、前記アンテナ１０の一端子は、ＲＦ給電ケーブルを介して基地局本体部２１と直接連結され、他端子はＣＢＴ７３０を介して基地局本体部２１と連結されることができる。
【０１２３】
前記ＣＢＴ７３０は、上述のように、ＲＳ‐４８５信号をＯＯＫ信号に、またはＯＯＫ信号をＲＳ‐４８５信号に変換する機能を担う。
【０１２４】
したがって、本発明の実施形態によると、ＰＡＣ２００がＲＳ‐４８５ポート３５０を介してＣＢＴ７３０とケーブルにより連結されると、ＣＢＴ７３０では、基地局本体部２１から提供されるＲＦ信号と、ＰＡＣ２００のＲＳ‐４８５ポート３５０から出力されるＤＣ＋ＲＳ‐４８５信号を変換及び統合してアンテナ１０に伝送する。すなわち、ＣＢＴ７３０では、ＰＡＣ２００のＲＳ‐４８５ポート３５０から出力されるＤＣ＋ＲＳ‐４８５信号をＤＣ＋ＯＯＫ信号に変換させ、変換されたＤＣ＋ＯＯＫ信号をＲＦ信号と統合してアンテナ１０に伝送する。
【０１２５】
アンテナ１０では、前記ＣＢＴ７３０からＲＦ＋ＤＣ＋ＯＯＫ信号を受信し、図５に示されたように、アンテナ１０内の信号分離部１５によってＲＦ＋ＤＣ＋ＯＯＫ信号からＤＣ＋ＯＯＫ信号を分離する。このように分離されたＤＣ＋ＯＯＫ信号は、ＲＥＴ１６に含まれたモデム１６１によってＯＯＫ信号がＴＴＬ信号またはＲＳ‐４８５信号に変換されることで、ＲＥＴ１４を制御することができる。
【０１２６】
図１５を参照すると、アンテナ１０はＲＦ給電ケーブルを介して基地局本体部２１と連結されることができ、前記アンテナ１０と基地局本体部２１との間にはＴＭＡ７５０が備えられることができる。ＴＭＡ（Ｔｏｗｅｒ  Ｍｏｕｎｔｅｄ  Ａｍｐｌｉｆｉｅｒ）は、上述のように、ＬＮＡ（Ｌｏｗ  Ｎｏｉｓｅ  Ａｍｐｌｉｆｉｅｒ）を含む装置であって、それをコントロール及び電気的にモニタリングすることができ、モデム機能をさらに含むことができる。この際、ＴＭＡ７５０において基地局本体部２１と連結される一端子は、示されたように、ＣＢＴ７３０と連結されることができる。前記ＣＢＴ７３０は、上述のように、ＲＳ‐４８５信号をＯＯＫ信号に、またはＯＯＫ信号をＲＳ‐４８５信号に変換する機能を担う。
【０１２７】
したがって、本発明の実施形態によると、ＰＡＣ２００がＲＳ‐４８５ポート３５０を介してＣＢＴ７３０とケーブルにより連結されると、ＣＢＴ７３０では、基地局本体部２１から提供されるＲＦ信号と、ＰＡＣ２００のＲＳ‐４８５ポート３５０から出力されるＤＣ＋ＲＳ‐４８５信号を変換及び統合してＴＭＡ７５０に伝送する。すなわち、ＣＢＴ７３０では、ＰＡＣ２００のＲＳ‐４８５ポート３５０から出力されるＤＣ＋ＲＳ‐４８５信号をＤＣ＋ＯＯＫ信号に変換させ、変換されたＤＣ＋ＯＯＫ信号をＲＦ信号と統合してＴＭＡ７５０に伝送する。
【０１２８】
ＴＭＡ７５０では、前記ＣＢＴ７３０からＲＦ＋ＤＣ＋ＯＯＫ信号を受信し、ＤＣ＋ＯＯＫ信号をＤＣ＋ＲＳ‐４８５信号に変換させてアンテナ１０に提供することで、ＲＥＴ１４を制御することができる。
【０１２９】
図１６は本発明の実施形態による携帯用アンテナ制御装置とＰＣとの連結関係を示す図である。図１６を参照すると、ＰＡＣ２００は、本発明の実施形態によって備えられたＲＳ‐４８５ポートまたはＯＯＫポートを介してＡＬＤに連結されることができる。また、本発明の他の実施形態によって、前記図４に示されたように、ＲＳ‐２３２ポート４５０を介してＰＣ８００などのユーザ端末に連結されることができる。この際、前記ＰＣ８００には、ＰＡＣ‐ＡＧ（Ｐｏｒｔａｂｌｅ  Ａｎｔｅｎｎａ  ｃｏｎｔｒｏｌｌｅｒ  ＡＩＳＧ  ＧＵＩ）機能を提供することができる。このようにすることで、前記ＰＣ８００を用いてソフトウェアの設置及び更新を容易に行うことができる。
【０１３０】
また、このようにＰＣと連動することで、ＲＳ‐２３２ポートを用いてソフトウェアのデバッグが可能となり、ＡＬＤスキャン、制御情報に関する履歴を格納または照会することが可能となる。
【０１３１】
図１７は本発明の実施形態による携帯用アンテナ制御装置とアンテナシステムとの連結関係を示す図である。図１７を参照すると、上述のように、各アンテナ１０と様々な方法によりＰＡＣ２００が連結されることができる。
【０１３２】
例えば、示されたように、アンテナ１０のＲＥＴ１４と直接連結されてもよく、アンテナ１０に連結された第１のＣＢＴ７１０及び第２のＣＢＴ７３０を介して連結されてもよい。また、アンテナ１０に連結されたＴＭＡ７４０及びＣＢＴ７３０を介して連結されてもよい。
【０１３３】
図１８は本発明の実施形態による携帯用アンテナ制御装置のポート選択画面を示す図である。図１８を参照すると、ＰＡＣ２００をアンテナ１０と連結した後、実行させると、本発明の実施形態によって、ＲＳ‐４８５ポートを介して制御信号を伝送するか、ＯＯＫポートを介して制御信号を伝送するかを選択する画面が表示される。この際、ユーザは、本発明の実施形態によってＲＳ‐４８５ポートまたはＯＯＫポートを選択することで、アンテナ１０との様々な連結方法が可能となる。
【０１３４】
上述のように、具体的な構成要素などの特定事項と限定された実施形態及び図面によって本発明を説明したが、これは本発明のより全般的な理解のために提供されたものに過ぎず、本発明は上記の実施形態に限定されるものではなく、本発明が属する分野において通常の知識を有する者であれば、このような記載から様々な修正及び変形が可能である。
【０１３５】
したがって、本発明の思想は上述の実施形態に限って決定されてはならず、添付の特許請求の範囲だけでなく、この特許請求の範囲と均等または等価の変形のある全てのものなどが、本発明の思想の範疇に属するといえる。
【図１】
0006427264.tif 000002
【図２】
0006427264.tif 000003
【図３】
0006427264.tif 000004
【図４】
0006427264.tif 000005
【図５】
0006427264.tif 000006
【図６】
0006427264.tif 000007
【図７】
0006427264.tif 000008
【図８】
0006427264.tif 000009
【図９】
0006427264.tif 000010
【図１０】
0006427264.tif 000011
【図１１】
0006427264.tif 000012
【図１２】
0006427264.tif 000013
【図１３】
0006427264.tif 000014
【図１４】
0006427264.tif 000015
【図１５】
0006427264.tif 000016
【図１６】
0006427264.tif 000017
【図１７】
0006427264.tif 000018
【図１８】
0006427264.tif 000019